(57)【要約】      （修正有）【課題】安定して持ち運びが可能で保管時トップハンドルが邪魔にならず美的感覚に優れたファスナー開閉式カバンを提供する。【解決手段】ファスナー開閉式カバンにおいて、カバン１の幅方向の中心からずれた位置に取り付けられるカバンを開閉するファスナー３と、カバンの上面の幅方向の中心に回動軸７を有し手を離すと自動的に水平収納位置に復帰する自動リターン式のトップハンドル５と、を備えることを特徴とする。【選択図】図３
0003207963.tif 000002
【実用新案登録請求の範囲】
【請求項１】
カバンの幅方向の中心からずれた位置に取り付けられるカバンを開閉するファスナーと、
カバンの上面の幅方向の中心に回動軸を有し手を離すと自動的に水平収納位置に復帰する自動リターン式のトップハンドルと、
を備えることを特徴とするファスナー開閉式カバン用トップハンドル。
【請求項２】
カバンの上面に自動リターン式のトップハンドルを収納するトップハンドル用窪みを形成し、前記トップハンドル用窪みに隣接してスライドハンドルのトップを収容するスライドハンドル用窪みを形成することを特徴とする請求項１に記載のファスナー開閉式カバン用トップハンドル。
【考案の詳細な説明】
【技術分野】
【０００１】
本考案は、旅行カバン、スーツケース、トランク等のファスナー開閉式のカバンの上部に取り付けられるファスナー開閉式カバン用トップハンドルに関する。
【背景技術】
【０００２】
旅行カバン、スーツケース、トランク等のカバンにおいて、中、小型のカバンにおいては、ファスナーにより開閉するタイプのものが多い。従来のカバンのファスナーの位置は、カバンの幅方向の中央に配置されている。そのため、カバンのトップに取り付けられるトップハンドルは、カバンの幅の中心位置からずれた位置に取り付けられる直立形式のトップハンドルを採用している。
【先行技術文献】
【特許文献】
【０００３】
【特許文献１】特開２０１１−２４７２０号公報
【考案の概要】
【考案が解決しようとする課題】
【０００４】
しかしながら、従来のかばんの幅方向の中央からずれた位置に直立したトップハンドルを取り付けたファスナー開閉式の力カバンは、トップハンドルの取付位置がカバンの重心位置からずれているため持ち運び時にカバンが傾き安定して持ち運ぶことが困難であるという問題を有し、トップハンドルが直立しているため、保管時にトップハンドルが邪魔になり収納スペースの無駄が発生し、見た目も良くないという問題を有していた。
【０００５】
本考案は、従来技術のもつ課題を解決する、安定して持ち運びが可能で保管時トップハンドルが邪魔にならず美的感覚に優れたファスナー開閉式カバン用トップハンドルを提供することを目的とする。
【課題を解決するための手段】
【０００６】
本考案のファスナー開閉式カバン用トップハンドルは、前記課題を解決するために、カバンの幅方向の中心からずれた位置に取り付けられるカバンを開閉するファスナーと、カバンの上面の幅方向の中心に回動軸を有し手を離すと自動的に水平収納位置に復帰する自動リターン式のトップハンドルと、を備えることを特徴とする。
【０００７】
また、本考案のファスナー開閉式カバン用トップハンドルは、カバンの上面に自動リターン式のトップハンドルを収納するトップハンドル用窪みを形成し、前記トップハンドル用窪みに隣接してスライドハンドルのトップを収容するスライドハンドル用窪みを形成することを特徴とする。
【考案の効果】
【０００８】
カバンの幅方向の中心からずれた位置に取り付けられるカバンを開閉するファスナーと、カバンの上面の幅方向の中心に回動軸を有し手を離すと自動的に水平収納位置に復帰する自動リターン式のトップハンドルと、を備えることで、ファスナーの位置をカバンの幅方向からずれた位置にしたのでトップハンドルの回動軸をカバンの幅方向の中心とすることができトップハンドルの位置が重心位置と一致するので安定して運搬することが可能となり、トップハンドル不使用時はトップハンドルが自動的に水平収納位置に復帰するのでカバン上面の突起物が存在せず保管時の収納スペースの無駄を無くし、見た目もすっきりとした形状とすることが可能となる。
カバンの上面に自動リターン式のトップハンドルを収納するトップハンドル用窪みを形成し、前記トップハンドル用窪みに隣接してスライドハンドルのトップを収容するスライドハンドル用窪みを形成することで、トップハンドルとスライドハンドルの不使用時にカバン上面に突起物を無くし、トップハンドル使用時にスライドハンドルが邪魔にならず、スライドハンドルを伸ばして牽引して運搬する際、トップハンドルが邪魔にならないようにトップハンドルとスライドハンドルを狭いカバン上面に配置することが可能となる。
【図面の簡単な説明】
【０００９】
【図１】本考案の実施形態を示す図である。
【図２】本考案の実施形態を示す図である。
【図３】本考案の実施形態を示す図である。
【図４】本考案の実施形態を示す図である。
【考案を実施するための形態】
【００１０】
本考案の実施形態を図により説明する。図１は、自動リターントップハンドルが収納位置にある時の側面図、図２は、自動リターントップハンドルが収納位置にある時の上面図、図３は、トップハンドルとスライドハンドルを使用状態とした時の側面図、図４は、カバン上面の拡大断面図である。
【００１１】
ファスナー開閉式カバン１は、カバン底面にキャスター２が取り付けられる。ファスナー開閉式カバン１の幅方向の中心位置からずれた位置にカバンを開閉するファスナー３が設置され、ファスナー３にファスナー開閉用チャック４が取り付けられる。
【００１２】
カバン上面には、トップハンドル５を水平に収容するトップハンドル収容窪み６が形成される。トップハンドル収容窪み６のカバンの幅方向の中心位置にトップハンドル５を回動自在に軸支する回動軸７が設置される。トップハンドル５がカバンの幅方向の中心位置の回動軸に支持されるため、手で把持してカバンを持ち上げて運搬する際カバンを安定させて運搬することが可能となる。
【００１３】
回動軸７には、コイルスプリング（図示せず）が巻回されている。トップハンドル５を水平収納位置から９０度回動して手で把持して運搬し、手を離すと回動軸７に巻回されたコイルスプリングの付勢力により水平収納位置に自動的に復帰するオートリターン式のトップハンドルとする。トップハンドル５の不使用時、トップハンドル５はトップハンドル収容窪み６に水平に収容されるのでカバン上面に突起物が存在しない状態にすることが可能になる。
【００１４】
トップハンル収容窪み６に隣接し、トップハンドル収容窪み６よりも低い位置に、スライドハンドル８のスライドハンドルトップ８ａを収容するスライドハンドル収容窪み９が形成される。スライドハンドル８は、カバン内に設けたガイド部材（図視せず）を介して上下にスライド可能に配置される。スライドハンドルトップ８ａに手をかけ、スライドハンドル８を引き上げ、カバン底部のキャスター２によりカバンを牽引運搬することが可能となる。
【００１５】
トップハンドル収容窪み６とスライドハンドル収容窪み９は隣接して配置されるが、高さが異なるように形成されているので、トップハンドル５とスライドハンドル８を選択的に使用する際、互いが干渉しないように配置される。
【００１６】
以上のように、本考案のファスナー開閉式カバン用トップハンドルによれば、ファスナーの位置をカバンの幅方向からずれた位置にしたのでトップハンドルの回動軸をカバンの幅方向の中心とすることができトップハンドルの位置が重心位置と一致するので安定して運搬することが可能となり、トップハンドル不使用時はトップハンドルが自動的に水平収納位置に復帰するのでカバン上面の突起物が存在せず保管時の収納スペースの無駄を無くし、見た目もすっきりとした形状とすることが可能となる。
【符号の説明】
【００１７】
１：ファスナー開閉式カバン、２：キャスター、３：ファスナー、４：チャック、５：トップハンドル、６：トップハンドル収容窪み、７：回動軸、８：スライドハンドル、８ａ：スライドハンドルトップ、９：スライドハンドル収容窪み
【図１】
0003207963.tif 000003
【図２】
0003207963.tif 000004
【図３】
0003207963.tif 000005
【図４】
0003207963.tif 000006
【手続補正書】
【提出日】平成28年10月6日(2016.10.6)
【手続補正１】
【補正対象書類名】実用新案登録請求の範囲
【補正対象項目名】全文
【補正方法】変更
【補正の内容】
【実用新案登録請求の範囲】
【請求項１】
カバンの幅方向の中心からずれた位置に取り付けられるカバンを開閉するファスナーと、
カバンの上面の幅方向の中心に回動軸を有し手を離すと自動的に水平収納位置に復帰する自動リターン式のトップハンドルと、
を備えることを特徴とするファスナー開閉式カバン
【請求項２】
カバンの上面に自動リターン式のトップハンドルを収納するトップハンドル用窪みを形成し、前記トップハンドル用窪みに隣接してスライドハンドルのトップを収容するスライドハンドル用窪みを形成することを特徴とする請求項１に記載のファスナー開閉式カバン